(57)【特許請求の範囲】
【請求項１】
自動運転装置が生産する製品の銘柄番号と、この銘柄番号の製品を生産するときに前記自動運転装置に設定する処方データとを対応させて格納した処方データベース用メモリと、
銘柄番号が指示されると、指示された銘柄番号に対応した処方データを前記処方データベース用メモリから読み出し、読み出した処方データを前記自動運転装置のデータバッファにダウンロードするダウンロード手段と、
を具備し、生産する製品の銘柄番号に応じて自動運転装置に設定する処方データを変える処方データ設定装置において、
前記データバッファに格納された銘柄番号Ａの処方データが修正されると、前記データバッファに格納されたデータを読み取り、読み取ったデータの中から銘柄番号Ａを捜し、前記処方データベース用メモリにある銘柄番号Ａのデータの部分を前記読み取った銘柄番号Ａのデータに書き換えるセーブ手段を具備したことを特徴とする処方データ設定装置。
【請求項２】
前記セーブ手段は、セーブ指示が発生したときにセーブ動作を実行することを特徴とする請求項１記載の処方データ設定装置。
【発明の詳細な説明】
【０００１】
【発明の属する技術分野】
本発明は、銘柄番号に応じたパラメータを自動運転装置に設定し、所望の銘柄番号の製品を自動運転装置に生産させる処方データ設定装置に関するものである。更に詳しくは、自動運転装置側でパラメータを修正したときに、修正結果を設定装置側に反映させるための改良を施した処方データ設定装置に関するものである。
【０００２】
【従来の技術】
自動運転装置を用いて、厚さ、密度等が異なる複数の銘柄の紙を生産することがある。このとき、自動運転装置には、厚さ、密度等の銘柄に関連したパラメータを設定する。このパラメータを処方データとする。処方とは製品の作り方のことである。
生産する銘柄を変えるときは、自動運転装置に設定する処方データを変える。自動運転装置に処方データを設定するための装置として処方データ設定装置がある。処方データ設定装置は、指示された銘柄に応じた処方データを自動運転装置に設定する。
【０００３】
図４は処方データ設定装置の従来例の構成図である。
図４で、１は処方データ設定装置、２は自動運転装置、３は処方データ設定装置１と自動運転装置２が接続された通信バスである。
【０００４】
処方データ設定装置１において、１１は処方データベース用メモリで、製品の銘柄番号と、この銘柄番号の製品を生産するときに自動運転装置２に設定する処方データとを対応させて格納している。処方データベース用メモリ１１は、通常はハードディスクである。
１２はダウンロード手段で、銘柄番号が指示されると、指示された銘柄番号に対応した処方データを処方データベース用メモリ１１から読み出し、読み出した処方データを後述する自動運転装置２のデータバッファにダウンロードする。
【０００５】
自動運転装置２において、２１は処方データベース用メモリ１１から読み出された処方データがダウンロードされるデータバッファである。
２２はデータバッファ２１に格納された処方データを適宜参照して自動運転を行い、指示された銘柄番号の製品を生産する自動運転部である。データバッファ２１の内容は、操業者が適宜変更することができる。
【０００６】
図４の装置の動作を説明する。
図５は処方データをダウンロード手段１２の動作手順を示したフローチャートである。
（Ａ１）上位コンピュータ等から銘柄番号が指示されると、指示された銘柄番号を処方データベースの中から捜す。
（Ａ２）銘柄番号が見付かったら、その銘柄番号と対応する処方データをダウンロード手段１２を通じてデータバッファ２１にダウンロードする。
【０００７】
処方データの一例を挙げてダウンロード動作を説明する。
図６は処方データベース用メモリ１１の内容例を示した図である。
図６で、「ＡＡＡＡＡＡ」、「ＢＢＢＢＢＢ」、「ＣＣＣＣＣＣ」は銘柄番号である。「データ１」、「データ２」、「データ３」、「データ４」は処方データである。銘柄番号と処方データが表形式に対応させられている。
例えば、銘柄番号「ＡＡＡＡＡＡ」に対応する処方データは、「１１１１１１」、「２２２２２２」、「３３３３３３」、「４４４４４４」である。
【０００８】
処方データベース用メモリ１１が図６に示す内容になっている場合に、銘柄番号「ＡＡＡＡＡＡ」が指示されると、ダウンロード手段１２は銘柄番号「ＡＡＡＡＡＡ」に対応した処方データ「１１１１１１」、「２２２２２２」、「３３３３３３」、「４４４４４４」を処方データベース用メモリ１１から読み出し、銘柄番号と処方データをデータバッファ２１にダウンロードする。これにより、データバッファ２１は図７に示す内容になる。自動運転部２２は、ダウンロードされたデータを参照して自動運転を行い、銘柄番号「ＡＡＡＡＡＡ」の製品の生産を開始する。
【０００９】
【発明が解決しようとする課題】
処方データは適切でないことがある。自動運転中に処方データの不適合を生じたときは、操業者が介入してデータバッファ２１上の処方データを修正することがある。
このとき、今回と同じ銘柄を次回に生産するときのために、処方データベース用メモリ１１の内容もデータバッファ２１にあわせて修正しなければならない。それには、修正箇所をメモしておいて、操業が一段落したときに、メモをもとに操業者が処方データベース用メモリ１１の内容を修正しなければならない。しかし、このような修正のしかたでは、修正作業が煩わしく、また修正ミスが起こりやすかった。
【００１０】
本発明は上述した問題点を解決するためになされたものであり、自動運転装置側で銘柄番号Ａの処方データが修正されると、処方データ設定装置の処方データベース用メモリにある銘柄番号Ａのデータ部分を書き換える手段を設けることによって、自動運転装置側で処方データを修正したときに、処方データベース用メモリを修正する作業が不要で、しかも修正ミスがない処方データ設定装置を実現することを目的とする。
【００１１】
【課題を解決するための手段】
本発明は次のとおりの構成になった処方データ設定装置である。
（１）自動運転装置が生産する製品の銘柄番号と、この銘柄番号の製品を生産するときに前記自動運転装置に設定する処方データとを対応させて格納した処方データベース用メモリと、
銘柄番号が指示されると、指示された銘柄番号に対応した処方データを前記処方データベース用メモリから読み出し、読み出した処方データを前記自動運転装置のデータバッファにダウンロードするダウンロード手段と、
を具備し、生産する製品の銘柄番号に応じて自動運転装置に設定する処方データを変える処方データ設定装置において、
前記データバッファに格納された銘柄番号Ａの処方データが修正されると、前記データバッファに格納されたデータを読み取り、読み取ったデータの中から銘柄番号Ａを捜し、前記処方データベース用メモリにある銘柄番号Ａのデータの部分を前記読み取った銘柄番号Ａのデータに書き換えるセーブ手段を具備したことを特徴とする処方データ設定装置。
（２）前記セーブ手段は、セーブ指示が発生したときにセーブ動作を実行することを特徴とする（１）記載の処方データ設定装置。
【００１２】
【発明の実施の形態】
以下図面を用いて本発明を詳しく説明する。
図１は本発明の一実施例を示す構成図である。図１で図４と同一のものは同一符号を付ける。
図１で、４はセーブ手段で、上位コンピュータ等からセーブ指示があったときに、データバッファ２１に格納されている処方データを処方データベース用メモリ１１にセーブする。これによって、データバッファ２１と処方データベース用メモリ１１の内容を整合させる。
【００１３】
図１の装置の動作を説明する。
図２はセーブ手段４の動作手順を示したフローチャートである。
（Ｂ１）上位コンピュータ等からセーブ指示があったときに、自動運転装置２のデータバッファ２１に格納された処方データをセーブ手段４を通じて読み取る。
（Ｂ２）読み取ったデータの中から銘柄番号を捜す。
（Ｂ３）処方データベース用メモリ１１の中の（Ｂ２）で見つけた銘柄番号のデータの部分を、読み取ったデータに書き換える。
【００１４】
セーブ指示は、データバッファ２１の処方データを修正したときに発生する。
【００１５】
処方データの一例を挙げて動作を説明する。
データバッファ２１が図７に示す内容になっているものとする。
処方データに不適合が発生して、操業者が処方データ「３３３３３３」を「３３３５５５」に修正する。データバッファ２１は図３に示す内容になる。
上位コンピュータからのセーブ指令により、セーブ手段４は、修正後のデータバッファ２１の内容を処方データベース用メモリ１１にセーブする。このとき、処方データベース用メモリ１１の中から銘柄番号「ＡＡＡＡＡＡ」が捜され、銘柄番号「ＡＡＡＡＡＡ」の部分のデータが図３に示すデータに書き換えられる。これによって、処方データ「３３３３３３」が「３３３５５５」に修正される。
【００１６】
【発明の効果】
以上説明したように本発明によれば、自動運転装置側で銘柄番号Ａの処方データが修正されると、処方データ設定装置の処方データベース用メモリにある銘柄番号Ａのデータ部分を書き換える手段が設けられているため、自動運転装置側の処方データを修正したときに、これに合わせて処方データベース用メモリの処方データも修正される。これによって、自動運転装置側で処方データを修正したときに、処方データベース用メモリを修正する作業が不要になり、しかも修正ミスがなくなる。
【図面の簡単な説明】
【図１】本発明の一実施例を示す構成図である。
【図２】図１の装置の動作説明図である。
【図３】図１の装置の動作説明図である。
【図４】処方データ設定装置の従来例の構成図である。
【図５】図４の装置の動作説明図である。
【図６】図４の装置の動作説明図である。
【図７】図４の装置の動作説明図である。
【符号の説明】
１    処方データ設定装置
１１  処方データベース用メモリ
１２  ダウンロード手段
２  自動運転装置
２１  データバッファ
２２  自動運転部
３  通信バス
４  セーブ手段
【図１】
0003594167.tif 000002
【図２】
0003594167.tif 000003
【図３】
0003594167.tif 000004
【図４】
0003594167.tif 000005
【図５】
0003594167.tif 000006
【図６】
0003594167.tif 000007
【図７】
0003594167.tif 000008